(57)【要約】      （修正有）【課題】カメラを使用する際，ファインダーの視野（画面）が狭いため，構図の決定がしづらく，また，画面の左右の水平位置（例えば海）及び上下の垂直位置（例えば柱）の確認がしにくくなる。カメラの利用者が，撮影に際して，被写体の構図の決定並びに水平線，垂直線の位置の確認が迅速に簡単に快適にできるよう，ファインダーの外枠部分に，構図の決定並びに水平及び垂直方向位置確認のための外付け格子線を設けたカメラを提供する。【解決手段】カメラの利用者が，撮影に際して，被写体の構図の決定並びに水平線の位置の確認を容易にできるようにするために，ファインダーの外枠の左右及び上下の同一位置に，同一格子線を設ける。【選択図】図１
2005141178.tif 000002
【特許請求の範囲】
【請求項１】
ファインダーの等の外枠部分に，構図決定並びに水平，垂直方向位置確認のための外付け格子線を設けたカメラ
（１）ファインダーの外枠部分の左右の同一位置に，構図決定及び水平方向位置確認のための同一の外付け格子線を設ける。
（２）ファインダーの外枠部分の上下の同一位置に，構図決定及び垂直方向位置確認のための同一の外付け格子線を設ける。
以上の構成によるカメラである。
ここで，外付け格子線とは，一般的な格子線がファインダー内に設けてあり，必要に応じてグリッド表示されるのに対して，ファインダーの外枠部分の左右，上下の同一位置に設けた同一格子線のことをいう。（以下同じ）
【発明の詳細な説明】
【発明の詳細な説明】
【技術分野】
【０００１】  この発明は，ファインダーの外枠部分に，構図決定並びに水平・垂直方向位置確認のための外付け格子線を設けたカメラに関するものである。
従来のカメラは，ボデーの接眼部に付いたファインダーを通して被写体を見てており，構図の決定及び左右・上下の水平・垂直位置の確認を短時間に行わねばならなかった。
しかし，ファインダーの視野（面積）が狭いことから，構図の決定とか左右・上下の水平・垂直位置の確認に時間がかかり，折角のシャッターチャンスを逃してしまうことが多かった。
このため，ファインダー内に格子線を設ける方法，方眼スクリーンを設ける方法等もみられるが，ファインダー上の縦，横の格子線により画面が数ブロックに分割されてしまう。
このため，この格子線にまどわされて，構図の決定がしにくかったり，格子線にわざわいされ被写体が見づらくなる欠点がある。
このような欠点をなくし，構図の決定並びに水平線，垂直線の位置の確認を迅速に容易にできるようにするため，ファインダーの外枠部分の同一位置に同一の外付け格子線を設けたのが本発明である。
外付け格子線の設置により，実際にはファインダー上には格子線の表示がないにもかかわらず，撮影者は撮影に際し，あたかもファインダー上に格子線が表示されているような感覚で，外付け格子線を利用して迅速かつ快適に撮影を行うことができる。
【背景技術】
【０００２】  従来，外付け格子線を設けたカメラはなかった。
ファインダー上に格子線を設ける方法，方眼スクリーンを設ける方法もあるが，画面が見にくくなる欠点がある。
【発明が解決しょうとする課題】
【０００３】  これは，次のような欠点があった。
（１）カメラの利用者は，使用に際して，ファインダー上の画面を見ながら，経験と勘により，構図の決定並びに水平及び垂直方向の位置を確認するが，画面が狭いため，構図の決定及び位置確認に時間がかかり，折角のシャッターチャンスを逃すことが多い。
（２）撮影後の写真等の映像をみてみると，水平及び垂直方向の位置が曲がっていることが多い。
本発明は，このような課題を解決し，カメラを迅速に，容易に，快適に使用できるようにしたものである。
【課題を解決するための手段】
【０００４】  （１）被写体の構図の決定並びに水平線の位置の確認を容易にできるようにするために，ファインダーの外枠の左右の同一位置に，同一格子線を設ける。
（２）被写体の構図の決定並びに垂直線の位置の確認を容易にできるようにするために，ファインダーの外枠の上下の同一位置に，同一格子線を設ける。
本発明は，以上の構成よりなる，外付け格子線を設けたカメラである。
【発明を実施するための最良の形態】
【０００５】  以下，発明の実施の形態について説明する。
（１）カメラの利用者が，撮影に際して，被写体の構図の決定並びに水平線の位置の確認を容易にできるようにするために，ファインダーの外枠の左右の同一位置に，同一格子線を設ける。
（２）カメラの利用者が，撮影に際して，被写体の構図の決定並びに垂直線の位置の確認を容易にできるようにするために，ファインダーの外枠の上下の同一位置に，同一格子線を設ける。
本発明は，以上のような構造で，外付け格子線を設けたカメラの利用者は，撮影に際して，被写体の構図の決定のために外付け格子線を利用するとともに，海等の水平線を確保したいと思えば，ファインダーの外枠の左右の同一位置に設けてある外付け格子線に被写体の水平線を合わせればよく，また，柱等の垂直線を確保したいと思えば，ファインダーの外枠の上下の同一位置に設けてある外付け格子線に被写体の垂直線を合わせるようにすればよい。
これらの行動は，ファインダーの外枠の左右，上下の同一位置に，同一の外付け格子線が設けられていることにより，特別に操作しなくても，無意識に構図の決定並びに水平線，垂直線の確保が，迅速に，的確に，快適に行われるものと思われる。
【発明の効果】
【０００６】  （１）カメラを使用する人の立場からすると，撮影する時に，被写体の構図の決定並びに水平，垂直方向の位置の確認が迅速に簡単に快適に行え，シャッターチャンスを逃さない。
（２）このような被写体の構図の決定並びに水平，垂直方向の位置確認のための外付け格子線を設けたカメラの製造にあたっては，特別の設計変更，新たな大規模製造機械の導入等を必要としないため，新たな投資も不要と思われ，利用者にとって購入価格の高騰をきたすおそれもないと思われる。
（３）カメラを製造，販売する側の立場からすると，被写体の構図の決定並びに水平，垂直方向の位置確認のための外付け格子線を設けたカメラの製造にあたっては，特別の設計変更，新たな大規模製造機械を導入することなく，製造過程で，カメラの外枠部分に外付け格子線を設けるだけで済み，製造方法，製造期間，販売価格等への影響もほとんどないと思われる。
（４）既に発売されているファインダー内にグリッド表示機能を持つカメラについても，外付け格子線を設けることにより，ファインダー内のグリッド表示は不要と思われる。
なお，より正確な構図の決定を必要とする場合に備えて，直線で表示される内部格子線に代わり，縦横の線が交差するであろう部分に，「＋」印や「・」印を表示することも考えられる。
この場合，外付け格子線の延長線上にある「＋」印又は「・」印が，外付け格子線と一体となり，内部格子線としての機能を保つとともに，ファインダー内をすっきり見やすくさせ，撮影者は迅速・簡単・快適に構図の決定をすることが可能である。
（５）外付け格子線の数は，理想とされる黄金分割の考えに基づき，ファインダーの縦横を３分割する２本，あるいは，縦横を４分割する３本が考えられる。
2005141178.tif 000003
2005141178.tif 000004
【図１】
2005141178.tif 000005
【図２】
2005141178.tif 000006
【手続補正書】
【提出日】平成16年2月14日(2004.2.14)
【手続補正２】
【補正対象書類名】明細書
【補正対象項目名】全文
【補正方法】変更
【補正の内容】
【発明の詳細な説明】
【技術分野】
【０００１】  この発明は，ファインダーの外枠部分に，構図決定並びに水平・垂直方向位置確認のための外付け格子線を設けたカメラに関するものである。
【背景技術】
【０００２】  従来，外付け格子線を設けたカメラはなかった。
ファインダー内に格子線を設ける方法，方眼スクリーンを設ける方法はあった。
【発明が解決しょうとする課題】
【０００３】  これは，次のような欠点があった。
（１）カメラの利用者は，使用に際して，ファインダー内の画面を見ながら，経験と勘により，構図の決定並びに水平及び垂直方向の位置を確認するが，画面が小さいため見づらく，構図の決定及び位置確認に時間がかかり，シャッターチャンスを逃すことが多い。
（２）撮影後の写真等の映像をみてみると，水平及び垂直方向の位置が曲がっていることが多い。
本発明は，このような課題を解決し，カメラを，迅速に，容易に，かつ快適に使用できるようにしたものである。
【課題を解決するための手段】
【０００４】（１）被写体の構図の決定並びに水平線の位置の確認を容易にできるようにするために，ファインダーの外枠の左右の同一位置に，同一格子線を設ける。
（２）被写体の構図の決定並びに垂直線の位置の確認を容易にできるようにするために，ファインダーの外枠の上下の同一位置に，同一格子線を設ける。
本発明は，以上の構成よりなる，外付け格子線を設けたカメラである。
【発明を実施するための最良の形態】
【０００５】  以下，発明を実施するための最良の形態を説明する。
（１）カメラの利用者が，撮影に際して，被写体の構図の決定並びに水平線の位置の確認を容易にできるようにするために，ファインダーの外枠の左右の同一位置に，同一格子線を設ける。
（２）カメラの利用者が，撮影に際して，被写体の構図の決定並びに水平線の位置の確認を容易にできるようにするために，ファインダーの外枠の上下の同一位置に，同一格子線を設ける。
本発明は，以上のような構造で，外付け格子線を設けたカメラの利用者は，撮影に際して，被写体の構図の決定のために外付け格子線を利用するとともに，海等の水平線を確保したいと思えば，ファインダーの外枠の左右の同一位置に設けてある外付け格子線に被写体の水平線を合わせればよく，また，柱等の垂直線を確保したいと思えば，ファインダーの外枠の上下の同一位置に設けてある外付け格子線に被写体の垂直線を合わせるようにすればよい。
これらの行動は，ファインダーの外枠の左右，上下の同一位置に，同一の外付け格子線が設けられていることにより，特別に操作しなくても，無意識に構図の決定並びに水平線，垂直線の確保が，迅速に，的確に，快適に行われるものと思われる。
【発明の効果】
【０００６】（１）カメラを使用する人の立場からすると，撮影する時に，被写体の構図の決定並びに水平，垂直方向の位置の確認が迅速に，簡単に，かつ快適に行え，シャッターチャンスを逃さない。
（２）このような被写体の構図の決定並びに水平，垂直方向の位置確認のための外付け格子線を設けたカメラの製造にあたっては，特別の設計変更，新たな大規模製造機械の導入等を必要としないため，新たな投資も不要と思われ，利用者にとって購入価格の高騰をきたすおそれもないと思われる。
（３）カメラを製造，販売する側の立場からすると，被写体の構図の決定並びに水平，垂直方向の位置確認のための外付け格子線を設けたカメラの製造にあたっては，特別の設計変更，新たな大規模製造機械を導入することなく，製造過程で，ファインダーの外枠部分に外付け格子線を設けるだけで済み，製造方法，製造期間，販売価格等への影響もほとんどないと思われる。
（４）既に発売されている，ファインダー内にグリッド表示機能を持つカメラについても，外付け格子線を設けることにより，内部の格子線の表示は不要と思われる。
なお，より正確な構図の決定を必要とする場合に備え，直線で表示される内部格子線に代わり，縦横の直線が交差する部分に，「＋」印や「・」印を表示することも考えられる。
この場合，外付け格子線の延長線上にある「＋」印，または「・」印が，外付け格子線と一体となり，内部格子線としての機能を保つとともに，ファインダー内をすっきり見やすくさせ，撮影者は，迅速に，簡単に，かつ快適に構図の決定をすることが可能である。
（５）外付け格子線の数は，理想とされる黄金分割の考えに基づき，ファインダーを縦横に３分割する２本，あるいは，縦横を４分割する３本が考えられる。
【図面の簡単な説明】
【０００７】
【図１】  本発明のカメラのファインダーの正面図である。
【図２】  本発明の内部格子線の設置例である。
【符号の説明】
【０００８】  １  ファインダー
２  構図決定及び水平方向位置確認のための外付け格子線
３  構図決定及び垂直方向位置確認のための外付け格子線
【手続補正３】
【補正対象書類名】図面
【補正対象項目名】全図
【補正方法】変更
【補正の内容】
【図１】
2005141178.tif 000007
【図２】
2005141178.tif 000008